(57)【要約】【課題】迫力のある重低音を再生することが可能であると同時に、設置された部屋内の客に対して圧迫感を与えることのないスピーカ装置を提供する。【解決手段】スピーカ装置１は、三角柱形状からなるスピーカエンクロージャ部１１と、平板状の低音増強部１２とが一体形成されてなる。スピーカエンクロージャ部１１のスピーカユニット設置面１１１には、ウーハ２１、ツィータ２２が設置されている。低音増強部１２の第１主面１２１には、振動板３１が揺動可能に設置されている。ウーハ２１からスピーカエンクロージャ部１１内に発生する内部音６０は低音増強部１２に伝搬されて振動板３１で低音域が増強され、外部に放音される。このようなスピーカ装置１をカラオケボックスの天井壁と側壁との交差する角辺部に設置することで、ボックス内の人には圧迫感を与えず、低音が増強された音を供給することができる。【選択図】  図１
2008148256.tif 000002
【特許請求の範囲】
【請求項１】
スピーカユニットが設置された第１面と、該第１面に対して少なくとも１方向から側面視した形状が、該第１面から前記スピーカユニットの奥行き方向に沿って狭くなる側面と、を有するスピーカエンクロージャと、
該スピーカエンクロージャのいずれかの側面に沿って前記第１面から突出する方向に形成され、前記スピーカエンクロージャの内部空間から伝搬された低音域の音を増強して放音する平板状の低音増強部と、が一体形成されたスピーカ装置。
【請求項２】
前記スピーカエンクロージャは、対向する二側面と、該二側面に略垂直な平面を有する三個の主面とを有する略五面体形状からなり、前記三個の主面の一面が前記第１面であり、且つ前記三個の主面の他の二面の少なくとも一方に前記平板状の低音増強部が設置されている請求項１に記載のスピーカ装置。
【請求項３】
前記スピーカエンクロージャは、互いに略同じ形状からなる四面を有する略四面体形状からなり、該略四面体の四個の三角形面の一面が前記第１面であり、且つ該四個の三角形面の他の三面の少なくとも一面に前記平板状の低音増強部が設置されている請求項１に記載のスピーカ装置。
【請求項４】
前記平板状の低音増強部は、前記スピーカエンクロージャの前記第１面と同方向の領域に露出し、少なくとも前記スピーカエンクロージャの前記第１面と同じ幅を有する第１主面に形成され、一端が当該第１主面に固定された揺動可能な振動板を備える請求項１〜請求項３のいずれかに記載のスピーカ装置。
【請求項５】
前記平板状の低音増強部は、前記スピーカエンクロージャの前記第１面と同方向の領域に露出する第１主面に、ドロンコーンを備える請求項１〜請求項３のいずれかに記載のスピーカ装置。
【請求項６】
前記平板状の低音増強部は、前記突出して延びる方向を導音軸とするポート部を備える請求項１〜請求項３のいずれかに記載のスピーカ装置。
【請求項７】
前記低音増強部の前記第１主面と該第１主面に対向する第２主面との間隔が一定でない請求項４〜請求項６のいずれに記載のスピーカ装置。
【請求項８】
前記平板状の低音増強部は、前記突出して延びる先端の厚みが徐々に薄くなる形状である請求項１〜請求項５のいずれかに記載のスピーカ装置。
【請求項９】
前記平板状の低音増強部は、前記突出して延びる先端の厚みが徐々に薄くなる形状である請求項７に記載のスピーカ装置。
【発明の詳細な説明】
【技術分野】
【０００１】
この発明は、重低音を再生可能なスピーカ装置、特に、天井や壁に設置して利用するスピーカ装置に関するものである。
【背景技術】
【０００２】
従来、電気信号を音声に変換して放音するスピーカ装置として各種構造のスピーカ装置が存在する。スピーカ装置は、現在、至る所で利用されているが、その一例として、カラオケボックスのような小スペース空間に設置されることがある。この場合、カラオケボックス内の床面積を効率的に利用するため、スピーカ装置は、天井に吊り下げたり、壁に掛けて設置する場合が多い。
【０００３】
例えば、天井に吊り下げるタイプのスピーカ装置としては、特許文献１に示すように、スピーカ装置とは別体の取付金具を天井に設置し、当該取付金具によりスピーカ装置を掲持する。
【０００４】
一方で、スピーカ装置は、スピーカユニットの口径や形状、特性により再生可能な周波数帯域が決まっており、一般的に口径が小さいほど高域再生を得意とし、口径が大きいほど低域再生を得意とする。また、口径の大きいスピーカユニットを用いずに所定レベル以上の低音再生を行う場合には、低音再生補助ユニットを設けなければならない。このため、低音をも十分に再生するスピーカ装置は、非特許文献１に示すような、比較的大きな外形形状となる。
【特許文献１】特開平５−３３１９５１号公報
【非特許文献１】ヤマハ株式会社、”ＭＳ３００”、平成１８年１１月２９日、インターネット＜URL:http://proaudio.yamaha.co.jp/products/speaker/ms300/spec.html＞
【発明の開示】
【発明が解決しようとする課題】
【０００５】
しかしながら、カラオケボックスのような小空間内に、前述の非特許文献１に示すような縦・横・厚み方向にそれぞれ或程度の長さを有する直方体形状のスピーカ装置を天井に吊す場合、やはり、スピーカ装置の大きさによりカラオケを行っている客に圧迫感を与えてしまう。一方で、スピーカ装置の形状を小型化、薄型化すると、低音域の再生能力が低下して、迫力のある重低音を客に提供することができない。
【０００６】
また、カラオケボックスの場合、建屋に対する設置効率を上げるため、壁や天井は厚く造られておらず、前述の直方体形状のスピーカ装置を埋め込むことは難しい。
【０００７】
したがって、本発明の目的は、迫力のある重低音を再生することが可能であると同時に、設置された部屋内の客に対して圧迫感を与えることのないスピーカ装置を提供することにある。
【課題を解決するための手段】
【０００８】
この発明のスピーカ装置は、スピーカユニットが設置された第１面と、該第１面に対して少なくとも１方向から側面視した形状が、該第１面からスピーカユニットの奥行き方向に沿って狭くなる側面と、を有するスピーカエンクロージャを備える。また、この発明のスピーカ装置は、スピーカエンクロージャのいずれかの側面に沿って第１面から突出する方向に形成され、スピーカエンクロージャの内部空間から伝搬された低音域の音を増強して放音する平板状の低音増強部を備える。そして、この発明のスピーカ装置はスピーカエンクロージャ部と平板状の低音増強部とを一体形成してなることを特徴としている。
【０００９】
この構成では、スピーカユニットで再生された音声は、スピーカエンクロージャの第1面から外方に放音されるとともに、スピーカエンクロージャ内を介して低音増強部へ伝搬される。低音増強部は、伝搬されたスピーカユニット再生音の低音域を増強して放音する。これにより、スピーカ装置が設置された室内に居るユーザには、重低音を有する音声が提供される。この際、スピーカエンクロージャがスピーカユニットの設置面から奥行き方向に沿って徐々に小さくなる形状であることから、同スピーカエンクロージャが直方体である場合よりも小型に形成される。さらに、低音増強部が平板状であるので、直方体形状である場合よりも薄く形成される。このような構造のスピーカ装置を天井面や壁面、さらには、天井面と壁面との交わる角辺に配置することで、ユーザには、従来の直方体形状のスピーカ装置よりも薄く小型に感じられる。
【００１０】
また、この発明のスピーカ装置のスピーカエンクロージャは、対向する二側面と、該二側面に略垂直な平面を有する三個の主面とを有する略五面体形状からなり、三個の主面の一面が第１面であり、且つ三個の主面の他の二面の少なくとも一方に平板状の低音増強部が設置されていることを特徴としている。
【００１１】
この構成では、スピーカエンクロージャが三角柱のような略五面体形状であることから、スピーカユニットが配置される第１面に対向する頂辺部分を天井面と壁面との交わる角辺にあわせて設置することができる。そして、平板状の低音増強部を天井面もしくは壁面に沿って配置することができる。
【００１２】
また、この発明のスピーカ装置のスピーカエンクロージャは、互いに略同じ形状からなる四面を有する略四面体形状からなり、該略四面体の四個の三角形面の一面が第１面であり、且つ該四個の三角形面の他の三面の少なくとも一面に平板状の低音増強部が設置されていることを特徴としている。
【００１３】
この構成では、スピーカエンクロージャが三角錐のような略四面体であることから、スピーカユニットが配置される第１面に対向する頂点部分を天井面と二壁面との交わる角に合わせて設置することができる。そして、平板状の低音増強部を天井面もしくは壁面に沿って配置することができる。
【００１４】
また、この発明のスピーカ装置の平板状の低音増強部は、スピーカエンクロージャの第１面と同方向の領域に露出し、少なくとも接続するスピーカエンクロージャの第１面と同じ幅を有する第１主面に形成され、一端が当該第１主面に固定された揺動可能な振動板を備えることを特徴としている。
【００１５】
この構成では、低音増強部に伝搬された音は、振動板の共振振動により、振動板の仕様に応じた低音（低周波数）が増強される。この際、振動板が或程度の面積を有する第１主面に形成されることで、薄い形状であっても所定レベル以上の低音増強が可能となる。
【００１６】
また、この発明のスピーカ装置の平板状の低音増強部は、スピーカエンクロージャの第１面と同方向の領域に露出する第１主面にドロンコーンを備えることを特徴としている。
【００１７】
この構成では、低音増強部に伝搬された音は、ドロンコーンにより低音（低周波数）が増強される。この際、面積を要する低音再生用のドロンコーンを第１主面に配置することで、薄い形状であってもドロンコーンを配置することができる。これにより、薄い形状であっても所定レベル以上の低音増強が可能となる。
【００１８】
また、この発明のスピーカ装置の平板状の低音増強部は、突出して延びる方向を導音軸とするポート部を備えることを特徴としている。
【００１９】
この構成では、低音増強部に伝搬された音は、ポート部内の共振により低音（低周波数）が増強される。この際、平板形状の厚み方向に垂直な方向にポート部が形成されることで、薄い形状であっても十分なポート長を確保することができる。これにより、薄い形状であっても所定レベル以上の低音増強が可能となる。
【００２０】
また、この発明のスピーカ装置の平板状の低音増強部は、突出して延びる先端の厚みが徐々に薄くなる形状であることを特徴としている。
【００２１】
この構成では、平板の端が徐々に薄くなることで、前述のように天井面や壁面、さらには天井面と壁面との交わる角辺に配置された場合に平板の稜線が見えないので、より薄区見える視覚効果が得られる。
【００２２】
この発明のスピーカ装置は、低音増強部の第１主面と該第１主面に対向する第２主面との間隔が一定でないことを特徴としている。
【００２３】
この構成では、低音増強部の厚みが一定でないので、低音増強部内に定在波が生じにくい。
【発明の効果】
【００２４】
この発明によれば、迫力のある重低音を再生し、且つ設置された部屋内の客に対して圧迫感を与えることのないスピーカ装置を簡素な構造で実現することができる。
【発明を実施するための最良の形態】
【００２５】
本発明の第１の実施形態に係るスピーカ装置について図を参照して説明する。
図１は本実施形態に係るスピーカ装置１の外観図である。図１（Ａ）はスピーカ装置１の平面図、図１（Ｂ）は側面図、図１（Ｃ）は側面断面図、図１（Ｄ）は背面図であり、図１（Ｅ）は正面図である。
図２は本実施形態のスピーカ装置１の放音過程を説明する側面断面図である。
図３は本実施形態のスピーカ装置１を設置したカラオケボックスを示す図である。
図１に示すように、本実施形態のスピーカ装置１は、三角柱状の筐体からなるスピーカエンクロージャ部１１と、平板状の筐体からなる低音増強部１２とが一体形成されてなる。スピーカエンクロージャ部１１は、三つの長方形面と二つの三角形面とからなり、三つの長方形面の一つは壁を有さない接続面１１３であり、低音増強部１２に接続する。他の二つの長方形面の一つは、スピーカユニット設置面１１１であり、該面には、中低音域を再生する一つのウーハ２１と、高音域を再生する二つのツィータ２２とが配置されている。当該スピーカユニット設置面１１１が本発明の「スピーカエンクロージャの第１面」に相当する。また、接続面１１３およびスピーカユニット設置面１１１を除くもう一つの長方形面は、背面１１２であり、全面に壁を有する。また、前記二つの三角形面は側面１１４であり、背面１１２と同様に全面に壁を有する。なお、以下の説明では、壁を有さない接続面１１３については、図１（Ｃ）に示す二点鎖線を接続面１１３として取り扱い、説明する。
【００２６】
スピーカエンクロージャ部１１では、接続面１１３と背面１１２との成す角（本実施形態では、壁を有さない接続面１１３（図１（Ｃ）に示す二点鎖線）と壁を有する背面１１２との成す角）は、スピーカ装置１が設置される天井面１０１（図３参照）と側壁面１０２（図３参照）とから形成される角辺部１５０（図３参照）の角度と略一致する角度に設定される。また、接続面１１３および背面１１２とスピーカユニット設置面１１１との成す角は、当該スピーカユニット設置面１１１に設置されるウーハ２１のコーン形状等に基づいて、スピーカエンクロージャ部１１内のウーハ２１、ツィータ２２と各壁面１１１〜１１３との間の空間が小さくなるように設定される。例えば、図１に示すように、スピーカエンクロージャ部１１は、接続面１１３と背面１１２とが略垂直に交わる形状で、これら接続面１１３および背面１１２とスピーカユニット設置面１１１とが略４５°で交わる形状からなる。なお、ツィータ２２は、スピーカエンクロージャ１１内でウーハ２１から音響的に独立する密閉空間に設置されている。
【００２７】
低音増強部１２は、スピーカエンクロージャ部１１の接続面１１３がスピーカユニット設置面１１１と交わる交差辺からさらに外方に延びる形状の第１主面１２１と、当該第１主面１２１に対向する第２主面１２２とを備える。第１主面１２１は、前記交差辺から長さＬ１で形成されている。また、第１主面１２１は幅Ｗ１で形成されており、当該幅Ｗ１は、スピーカエンクロージャ部１１の幅Ｗ０よりも長く設定されている。これにより、低音増強部１２の厚みが薄くても、内部体積を大きくとることができる。
【００２８】
第１主面１２１には、一端が当該第１主面１２１と一体化され、他の三端がスリット３２により第１主面１２１から離間された、平面視した形状が四角形状の振動板３１が形成されている。スリット３２に対応する低音増強部１２の内部側には、弾性体からなるエッジ３３が設置されている。このエッジ３３により、低音増強部１２の内部と外部とが隔離される。
【００２９】
第２主面１２２は、第１主面１２１よりも長く形成され、前記交差辺からスピーカエンクロージャ部１１側へ、スピーカエンクロージャ部１１の背面１１２まで延びる形状で形成されている。
これら第１主面１２１と第２主面１２２とは、先端側面１２３、二つの伸延方向側面１２４、背面方向側面により、厚みＤ１の位置に配置され、これらの六面により、低音増強部１２の筐体が形成されている。ここで、先端側面１２３とは、低音増強部１２およびスピーカエンクロージャ部１１の幅方向に延びる形状からなり低音増強部１２に対してスピーカエンクロージャ部１１と対向する側に形成された面である。また、伸延方向側面１２４は、低音増強部１２の長さ方向に延びる形状の面である。また、背面方向側面は、スピーカエンクロージャ部１１の背面１１２と一体形成されている。
【００３０】
ここで、低音増強部１２を構成する各寸法要素は、Ｌ１，Ｗ１≫Ｄ１、すなわち、長さ方向の寸法および幅方向の寸法が、厚み方向の寸法よりも大幅に長くなる形状で形成されており、例えば、長さＬ１および幅Ｗ１が３００ｍｍ以上であるのに対して、厚みＤ１が４０ｍｍに抑えられる。このように、低音増強部１２は厚みの薄い平板状に形成される。
【００３１】
以上のような構成で、スピーカエンクロージャ部１１と低音増強部１２とを一体形成することで、スピーカエンクロージャ部１１の各壁と低音増強部１２の各壁とで形成される内部空間は、外部から遮断された密閉空間となる。
【００３２】
次に、スピーカ装置１の放音過程について説明する。
スピーカ装置１では、ウーハ２１、ツィータ２２に音声信号を印加すると、ウーハ２１およびツィータ２２は、コーンが振動し、スピーカユニット設置面１１１から外部に向けて放音する。この際、ウーハ２１は、主として中低音域の音５１を放音し、ツィータ２２は高音域の音を放音（図示せず）する。
【００３３】
スピーカエンクロージャ部１１の内部では、ウーハ２１のコーンが振動して外部に放音される際に同時に内部音６０が発生する。内部音６０は、スピーカエンクロージャ部１１内から低音増強部１２内へと伝搬される。スピーカ装置１の内部は、密閉空間となっているので、低音増強部１２の振動板３１は、内部音６０により振動する。この際、振動板３１は、内部音６０の低音域で共振して振動し、低音域の音を増強する。この低音が増強された音は、振動板３１が設置された第１主面１２１から外方に放音される。
【００３４】
次に、スピーカ装置１の配置について説明する。本実施形態では、カラオケボックスに設置する例を示す。
【００３５】
カラオケボックス１００は、天井壁１０１、側壁１０２、床１０３があり、カラオケボックス１００内には、歌唱者２０１、聴者２０２が所定位置にいる。カラオケボックス１００の天井壁１０１と、側壁１０２との交わる角辺部１５０には、前述の構造からなるスピーカ装置１が設置されている。スピーカ装置１は、低音増強部１２の第２主面１２２とスピーカエンクロージャ部１１の背面１１２との接続部が角辺部１５０に略当接するように配置される。スピーカ装置１は、取付治具４０により天井壁１０１に設置される。
【００３６】
このような設置構造を用いることで、スピーカ装置１を、カラオケボックス１００の天井と側壁との交わる所まで、後退させて設置することができる。これにより、従来のように天井から吊り下げる方式のような圧迫感を解消することができる。さらに、本実施形態のスピーカ装置１は、或程度の厚みを有するスピーカエンクロージャ部１１と薄い低音増強部１２とからなるが、厚みの有るスピーカエンクロージャ部１１が部屋の端側に配置され、薄い低音増強部１２が部屋の中央側に配置されるので、さらに圧迫感をなくすことができる。
これにより、迫力のある重低音を再生し、且つユーザに圧迫感を与えないスピーカ装置を比較的簡素な構造で実現することができる。
【００３７】
なお、本実施形態では、天井壁１０１側に低音増強部１２を設置する例を示したが、側壁１０２側に低音増強部１２を設置するようにしても良い。
【００３８】
また、本実施形態では、低音増強部１２の幅Ｗ１をスピーカエンクロージャ部１１の幅Ｗ０よりも長くしたが、これら幅の関係は、装置の仕様により適宜設定することが可能である。
【００３９】
また、本実施形態では、低音増強部１２の先端側面１２３は、振動板３１を有する第１主面１２１および第２主面１２２に垂直に形成したが、図４に示すような形状であってもよい。図４は、スピーカ装置１の他の構成例を示す外観図であり、（Ａ）は平面図、（Ｂ）は側面図、（Ｃ）は正面図である。
図４に示すように、先端側面１２３は、第１主面１２１に対して低音増強部１２の内部側の角が鋭角となり、第２主面１２２に対して低音増強部１２の内部側の角が鈍角となる形状で形成されている。これにより、低音増強部１２の先端側面１２３’側では、第２主面１２２が平坦な平面のままで、徐々に厚みが薄くなる構造となる。このような形状のスピーカ装置１を図３に示すような箇所に設置した場合、低音増強部１２側の端部の厚みが徐々に薄くなり、低音増強部１２の端部の稜線が天井壁１０１の表面に近接する。これにより、ユーザに対して、視覚的により圧迫感を抑制することができる。
【００４０】
また、前述の実施形態では、振動板３１の固定端が、振動板３１のスピーカエンクロージャ部１１から遠い側の一端に設定される例を示したが、他の三端のいずれに固定端が設定されていても良い。
【００４１】
また、前述の実施形態では、振動板３１を用いる例を示したが、他の低音増強方式を用いても良い。
【００４２】
図５は、本実施形態の他のスピーカ装置１’の外観図である。図５（Ａ）はスピーカ装置１の平面図、図５（Ｂ）は側面図、図５（Ｃ）は側面断面図、図５（Ｄ）は背面図であり、図５（Ｅ）は正面図である。
図５に示すスピーカ装置１’は、低音増強部１２に振動板３１に代えてドロンコーン４１を設置する点を除き、図１に示したスピーカ装置１と同じである。
【００４３】
スピーカ装置１’は、低音増強部１２の第１主面１２１にドロンコーン４１を備える。ドロンコーン４１は、ウーハ２１からの内部音６０により振動し、低音域を増強して外部に放音する。
【００４４】
このような構成であっても、振動板３１の場合と同様に、迫力のある重低音を再生しながら、圧迫感を与えないスピーカ装置を比較的簡素な構成で実現することができる。
【００４５】
なお、図５の各部寸法は、図１の各部寸法と同じであるが、これら寸法も同様に仕様に応じて適宜設定すればよい。
【００４６】
図６は、本実施形態の他のスピーカ装置１”の外観図である。図６（Ａ）はスピーカ装置１の平面図、図６（Ｂ）は側面図、図６（Ｃ）は側面断面図、図６（Ｄ）は背面図であり、図６（Ｅ）は正面図である。
図６に示すスピーカ装置１”は、低音増強部１２にバスレフポート５１を設置する点を除き、図１に示したスピーカ装置１と同じである。なお、バスレフポート５１の形状は、断面形状が円形なものに限らず、楕円形状や長円形状であっても良い。すなわち、ポート内に角部ができないような形状とすればよい。
【００４７】
スピーカ装置１”の低音増強部１２には、低音増強部１２の伸延方向に沿って延びる形状のポート５１が形成されている。バスレフポート５１は、ウーハ２１の背面から放音された音（スピーカユニット設置面側で放音された音と逆位相）の位相が反転するように、
予め設定した所定長からなり、ウーハ２１からの内部音６０の低音域がバスレフポート５１の管部で共振して増強される。増強された音声は、低音増強部１２の先端側面１２３から外部に放音される。
【００４８】
このような構成であっても、振動板３１の場合と同様に、迫力のある重低音を再生しながら、圧迫感を与えないスピーカ装置を比較的簡素な構成で実現することができる。
【００４９】
なお、本実施形態では、対向する辺同士が平行である長方形面を有する形状の三角柱形状を例に示したが、対向する辺同士が平行でない四角形面から形成されるスピーカ装置であってもよい。
【００５０】
さらには、三角形面の頂角に対応する四角形面同士が接続する稜部についても、当該稜部が削られたような形状であってもよい。すなわち、本実施形態のスピーカ装置は、天井壁と側壁のような互いに交わる二壁面の交差部の形状に応じてスピーカエンクロージャの形状が形成され、且つ、スピーカ設置面から奥行き方向に沿ってスピーカエンクロージャの正面方向から見た断面積が小さくなるような略三角柱と見なせる略五面体形状であればよい。
【００５１】
また、本実施形態では、低音増強部を厚みが均一な形状で形成したが、厚みが均一でない形状としてもよい。例えば、低音増強部において、スピーカエンクロージャ側から徐々に厚みが薄くなる形状にしてもよい。このように、厚みが均一でない形状とすることで、低音増強部内で特定周波数成分による定在波が発生せず、より音響特性が良くなる。
【００５２】
これらの構造の具体的な例として、図７〜図９は、本実施形態の別態様からなるスピーカ装置の構造を説明する図である。図７は平面図、正面図、背面図、側面図からなる四面図と外観斜視図である。図８は平面図、正面図、背面図からなる三面図と外観斜視図である。図９は側面図である。
【００５３】
図７に示すスピーカ装置１は、スピーカエンクロージャ１１におけるスピーカユニット設置面１１１と背面１１２との交わる稜線１１５と低音増強部１２の第１主面１２１との距離Hが、幅方向で異なる形状からなる。別の表現で図７を用いて示すと、ツィータ２２側の側面１１４Ａの第1主面１２１から稜線１１５までの距離Ｈ７１がウーハ２１側の側面１１４Ｂの第1主面１２１から稜線１１５までの距離Ｈ７２よりも短くなる（Ｈ７１＜Ｈ７２）構造からなる。
【００５４】
図８に示すスピーカ装置１は、スピーカエンクロージャ１１の側面１１４が平行でない。スピーカエンクロージャ１１の背面１１２側では、低音増強部１２の第１主面１２１側から対向する稜線１１５（スピーカユニット設置面１１１と背面１１２との交わる稜線）側に向かって、側面１１４同士が徐々に近接していく構造からなる。別の表現で図８を用いて示すと、スピーカエンクロージャ１１の低音増強部１２側の幅Ｗ７２が稜線１１５側の幅Ｗ７１よりも長くなる（Ｗ７２＞Ｗ７１）構造からなる。
【００５５】
図９（Ａ）は、スピーカエンクロージャ１１の背面１１２が低音増強部１２の第１主面１２１に対して、完全な直角で交わらず、垂直に近い所定角で交わる構造を備える。図９（Ｂ）は、スピーカエンクロージャ１１のスピーカユニット設置面１１１と背面１１２との交わる稜線部が、Ｒ面取りされた構造からなる。図９（Ｃ）は、スピーカエンクロージャ１１のスピーカユニット設置面１１１と背面１１２との交わる稜線部が、角面取りされた構造からなる。
【００５６】
また、図９（Ｄ）は、低音増強部１２の厚みが、スピーカエンクロージャ１１側から先端側に向かって薄くなる形状からなる。
【００５７】
また、本実施形態では、スピーカ装置を天井面に沿って設置する例を示したが、振動板を用いる構成やドロンコーンを用いる構成では、低音増強部の第１主面が天井面と一致するように、スピーカ装置を埋め込むようにしてもよい。これにより、さらに圧迫感を与えない。
【００５８】
次に第２の実施形態に係るスピーカ装置について図を参照して説明する。
【００５９】
図１０は、本実施形態のスピーカ装置の外観図である。図１０（Ａ）は平面図、図１０（Ｂ）は側面図、図１０（Ｃ）は側面断面図、図１０（Ｄ）は背面図である。
図１１は、本実施形態のスピーカ装置１０をカラオケボックスに配置した状況を示す図である。
【００６０】
本実施形態のスピーカ装置１０は、三角錐状の筐体からなるスピーカエンクロージャ部１３と、平面視した形状が台形である平板状の筐体からなる低音増強部１４とが一体形成されてなる。スピーカエンクロージャ部１３は、四つの三角形面からなり、四つの三角形面の一つは接続面１３２であり、壁を有さずに低音増強部１４に接続する。他の三つの三角形面の内の一つは、スピーカユニット設置面１３１であり、壁面には、中低音域を再生する一つのウーハ２１と、高音域を再生する二つのツィータ２２とが配置されている。当該スピーカユニット設置面１３１が本発明の「スピーカエンクロージャの第１面」に相当する。また、接続面１３２およびスピーカユニット設置面１３１を除く二つの三角形面は、右背面１３３および左背面１３４であり、全面に壁を有する。
【００６１】
スピーカエンクロージャ部１３では、接続面１３２、右背面１３３、左背面１３４の成す立体角は、スピーカ装置１０が配置される天井面１０１（図１１参照）と、二壁面１０２Ａ，１０２Ｂ（図１１参照）との成す角部の立体角と略一致する角度に設定される。また、接続面１３２、右背面１３３、左背面１３４のそれぞれとスピーカユニット設置面１３１との成す立体角は、当該スピーカユニット設置面１３１に設置されるウーハ２１のコーン形状等に基づいて、スピーカエンクロージャ部１３内のウーハ２１、ツィータ２２と各壁面１３１〜１３４との間の空間が小さくなるように設定される。
【００６２】
低音増強部１４は、スピーカエンクロージャ部１３の接続面１３２がスピーカユニット設置面１３１と交わる交差辺からさらに外方に延びる形状の第１主面１４１と、当該第１主面１４１に対向する第２主面１４２とを備える。第１主面１４１は、前記交差辺での幅Ｗ１１に対して、先端側面１４３での幅Ｗ１２が大きくなるような、平面視して台形となる形状で形成されている。これにより、低音増強部１４の厚みが薄くても、内部体積を大きくとることができ、且つ天井面１０１と側壁面１０２Ａ，１０２Ｂとの交点である部屋の角部から天井面１０１、側壁面１０２Ａ，１０２Ｂに沿って広がる形状となる。
【００６３】
第１主面１４１には、一端が当該第１主面１４１と一体化され、他の三端がスリット３２０により第１主面１４１から離間された、平面視した形状が台形状の振動板３１０が形成されている。スリット３２０に対応する低音増強部１４の内部側には、弾性体からなるエッジ３３０が設置されている。このエッジ３３０により、低音増強部１４の内部と外部とが隔離される。
【００６４】
第２主面１４２は、第１主面１４１よりも長く形成され、前記交差辺からスピーカエンクロージャ部１３側へ、スピーカエンクロージャ部１３の左右背面１３３，１３４の交点まで延びる三角形状で形成されている。
これら第１主面１４１と第２主面１４２とは、先端側面１４３、二つの伸延方向側面１４４により、厚みＤ１０の位置に配置され、これらの壁面により、低音増強部１４の筐体が形成されている。ここで、先端側面１４３とは、低音増強部１４およびスピーカエンクロージャ部１３の幅方向に延びる形状からなり低音増強部１４に対してスピーカエンクロージャ部１３と対向する側に形成された面である。また、伸延方向側面１４４は、低音増強部１４の伸延方向に延びる形状の面である。
【００６５】
ここで、低音増強部１４を構成する各寸法要素は、Ｌ１０，Ｗ１１，Ｗ１２≫Ｄ１０、すなわち、伸延方向の長さ方向の寸法および幅方向の寸法が、厚み方向の寸法よりも大幅に長くなる形状で形成されており、
以上のような構成で、スピーカエンクロージャ部１３と低音増強部１４とを一体形成することで、スピーカエンクロージャ部１３の各壁と低音増強部１４の各壁とで形成される内部空間は、外部から遮断された密閉空間となる。
【００６６】
次に、スピーカ装置１０の配置について説明する。本実施形態では、カラオケボックスに設置する例を示す。
【００６７】
カラオケボックスは、第１の実施形態と同様の構造からなり、天井壁１０１、側壁１０２Ａ，１０２Ｂ、床１０３がある。カラオケボックスの天井壁１０１と、側壁１０２Ａ，１０２Ｂとの交わる角部１５１には、前述の構造からなるスピーカ装置１０が設置されている。スピーカ装置１０は、低音増強部１４の第２主面１４２とスピーカエンクロージャ部１３の左右背面１３３，１３４との接続部が角部１５１に略当接するように配置される。スピーカ装置１０は、取付治具４０により天井壁１０１に設置される。
【００６８】
このような設置構造を用いることで、スピーカ装置１０を、カラオケボックスの天井の角まで、後退させて設置することができる。これにより、従来のように天井から吊り下げる方式のような圧迫感を解消することができる。さらに、本実施形態のスピーカ装置１０は、或程度の厚みを有するスピーカエンクロージャ部１３と薄い低音増強部１４とからなるが、厚みの有るスピーカエンクロージャ部１３が部屋の天井側角に配置され、薄い低音増強部１４が部屋の中央側に配置されるので、さらに圧迫感をなくすことができる。
これにより、迫力のある重低音を再生し、且つユーザに圧迫感をさらに与えないスピーカ装置を比較的簡素な構造で実現することができる。
【００６９】
なお、本実施形態において、第１の実施形態と同様に、先端側面１４３を第１主面１４１および第２主面１４２に対して傾斜させて形成するようにしてもよい。
【００７０】
また、本実施形態において、第１の実施形態と同様に、低音増強部１４にドロンコーンやバスレフポートを形成するようにしてもよい。
【００７１】
また、本実施形態では、全面が完全なる三角形からなる三角錐形状を例に示したが、三つの三角形面が集まる頂角について、当該頂角が削られたような形状であってもよい。すなわち、スピーカ設置面から奥行き方向に沿ってスピーカエンクロージャの正面方向から見た断面積が小さくなるような略三角錐と見なせる略四面体形状であればよい。
【００７２】
また、本実施形態でも、低音増強部を厚みが均一な形状で形成したが、厚みが均一でない形状としてもよい。例えば、低音増強部において、スピーカエンクロージャ側から徐々に厚みが薄くなる形状にしてもよい。このように、厚みが均一でない形状とすることで、低音増強部内で特定周波数成分による定在波が発生せず、より音響特性が良くなる。
【００７３】
これら構造の具体的な例として、図１２および図１３は、本実施形態の別の態様からなるスピーカ装置の構造を説明する図である。図１２は平面図、側面図、背面図からなる三面図である。図１３はスピーカ装置１０をカラオケボックスに配置した状況を示す図である。
【００７４】
図１２に示すスピーカ装置１０は、スピーカエンクロージャ１３のスピーカユニット設置面１３１と左右背面１３３，１３４との交わる頂部が、角面取りされた構造からなる。また、図１３に示すスピーカ装置１０は左背面と右背面とで形状が異なる構造からなる。
【００７５】
また、本実施形態でも、振動板を用いる構成やドロンコーンを用いる構成では、低音増強部の第１主面が天井面と一致するように、スピーカ装置を埋め込むようにしてもよい。これにより、さらに圧迫感を与えない。
【図面の簡単な説明】
【００７６】
【図１】第１の実施形態に係るスピーカ装置１の外観図である。
【図２】第１の実施形態のスピーカ装置１の放音過程を説明する側面断面図である。
【図３】第１の実施形態のスピーカ装置１を設置したカラオケボックスを示す図である。
【図４】第１の実施形態のスピーカ装置１の他の構成例を示す外観図である。
【図５】第１の実施形態の他のスピーカ装置１’の外観図である。
【図６】第１の実施形態の他のスピーカ装置１”の外観図である。
【図７】第１の実施形態の別態様からなるスピーカ装置の構造を説明する図である。
【図８】第１の実施形態の別態様からなるスピーカ装置の構造を説明する図である。
【図９】第１の実施形態の別態様からなるスピーカ装置の構造を説明する図である。
【図１０】第２の実施形態のスピーカ装置の外観図である。
【図１１】第２の実施形態のスピーカ装置１０をカラオケボックスに配置した状況を示す図である。
【図１２】第２の実施形態の別の態様からなるスピーカ装置の構造を説明する図である。
【図１３】第２の実施形態の別の態様からなるスピーカ装置の構造を説明する図である。
【符号の説明】
【００７７】
１，１’，１”，１０−スピーカ装置、１１，１３−スピーカエンクロージャ部、１２，１４−低音増強部、２１−ウーハ、２２−ツィータ、３１−振動板、３２−スリット、３３−エッジ、４０−取付治具、４１−ドロンコーン、５１−ポート、６０−内部音、１００−カラオケボックス、１０１−天井壁、１０２，１０２Ａ，１０２Ｂ−側壁、１０３−床、１１１−スピーカユニット設置面、１１２−背面、１１３−接続面、１１４，１１４Ａ，１１４Ｂ−側面、１１５−稜線、１２１−第１主面、１２２−第２主面、１２３−先端側面、１２４−伸延方向側面、１３１−スピーカユニット設置面、１３２−接続面、１３３−右背面、１３４−左背面、１４１−第１主面、１４２−第２主面、１４３−先端側面、１４４−伸延方向側面、１５０−角辺部、１５１−角部、２０１…歌唱者、２０２…聴者、３１０−振動板、３２０−スリット、３３０−エッジ
【図１】
2008148256.tif 000003
【図２】
2008148256.tif 000004
【図３】
2008148256.tif 000005
【図４】
2008148256.tif 000006
【図５】
2008148256.tif 000007
【図６】
2008148256.tif 000008
【図７】
2008148256.tif 000009
【図８】
2008148256.tif 000010
【図９】
2008148256.tif 000011
【図１０】
2008148256.tif 000012
【図１１】
2008148256.tif 000013
【図１２】
2008148256.tif 000014
【図１３】
2008148256.tif 000015